(57)【要約】      （修正有）【課題】ローラパフの取り外しが可能で、ローラパフに均等に化粧料や塗料等の液状体が付着するローラパフ付き液状体容器を提供する。【解決手段】本ローラパフ付き液状体容器（化粧料容器）は、容器本体と蓋部と塗布部とから構成され、蓋部には塗布部に通じる複数の分岐した液状体流路（化粧料流路）２１ａ、２１ｂ、２１ｃが形成され、塗布部には液状体流路から流出した液状体（化粧料）Ｃを受ける第１ローラ３１と第１ローラが受けた液状体を受ける第２ローラ３２とが設けられ、第２ローラは主としてスポンジよりなるパフ３２ｂが巻装され、かつ、蓋部から着脱可能に取り付けられてなるものである。【選択図】図５
0003171216.tif 000002
【実用新案登録請求の範囲】
【請求項１】
容器本体と、容器本体の口部に着脱可能な蓋部と、蓋部における容器本体とは反対側に取り付けた塗布部とから構成され、
蓋部には塗布部に通じる液状体流路が形成され、
塗布部には液状体流路から流出した液状体を受ける回動可能な丸棒状のローラが取り付けられ、
ローラは主としてスポンジよりなるパフが巻装されてなり、パフの一部が露出しており、かつ、蓋部から着脱可能に取り付けられていることを特徴とするローラパフ付き液状体容器。
【請求項２】
蓋部には、その両端に支持壁を形成し、該支持壁の内面には、傾斜溝付の係合用凹部を形成し、ローラにはその両端に係合用凸部を形成したことにより、支持壁の係合用凹部とローラの係合用凸部とを着脱可能に構成したことを特徴とする請求項１に記載のローラパフ付き液状体容器。
【請求項３】
蓋部における液状体流路が、複数の方向に分岐して形成され、複数の液状体流路から流出した液状体をローラが受けるように構成したことを特徴とする請求項１又は２に記載のローラパフ付き液状体容器。
【請求項４】
ローラは、液状体流路から流出した液状体を受ける回動可能な丸棒状の第１ローラと、第１ローラに接触して設けられ、第１ローラが受けた液状体を受ける回動可能な丸棒状の第２ローラとから構成され、
第１ローラは長手方向に複数の溝を有し、
第２ローラは主としてスポンジよりなるパフが巻装されてなり、パフの一部が蓋部から露出しており、かつ、蓋部から着脱可能に取り付けられていることを特徴とする請求項１〜３のいずれか１項に記載のローラパフ付き液状体容器。
【請求項５】
容器本体の口部外周に雄ネジ部を形成し、蓋部底部側に前記の雄ネジ部に螺合する雌ネジ部を形成したことにより、容器本体と蓋部とを螺号結合により着脱可能としたことを特徴とする請求項１〜４のいずれか１項に記載のローラパフ付き液状体容器。
【請求項６】
蓋部が下側蓋部と上側蓋部とに分割されており、下側蓋部の上端外周に形成された外向きフランジと上側蓋部の下端内周に形成された内向きフランジとの嵌合構造により、下側蓋部に対して上側蓋部は周方向に回動可能に構成され、
下側蓋部の上部中央部には、中央よりはみ出した突出半円板と該突出半円板を除いた半円状の隙間部とが形成され、上側蓋部の下部中央部には、中央よりはみ出した突出半円板と該突出半円板を除いた半円状の隙間部とが形成され
てなることを特徴とする請求項１〜５のいずれか１項に記載のローラパフ付き液状体容器。
【請求項７】
蓋部が下側蓋部と上側蓋部とに分割されており、下側蓋部の上端外周に形成された外向きフランジと上側蓋部の下端内周に形成された内向きフランジとの嵌合構造により、下側蓋部に対して上側蓋部は周方向に回動可能に構成され、
下側蓋部の上部中央部には垂直方向にネジ穴が形成されており、ネジ穴の両側に容体部の口部に通じる流路が形成され、上側蓋部の下部中央部には、前記ネジ穴に連通し、ネジ穴の径よりも大きい水平断面六角のシリンダー穴が縦方向に形成されており、当該シリンダー穴の両側には前記流路に連通する流路が形成されていて、その流路の上端部はシリンダー穴の上部両側に連通し、シリンダー穴の上端から上方には化粧料流路に通じる逆円錐状穴が形成され、
下部が前記ネジ穴と螺合する雄ネジを有するネジ軸であり、ネジ軸の上端に連続して、前記シリンダー穴内をスライドする水平断面六角の六角柱からなるピストン部が設けられており、ピストン部の上端には、細軸部を介して前記逆円錐状穴に合致する形状の逆円錐状栓が設けられており、上側蓋部を下側蓋部に対して回転させるとシリンダー穴の内部を上下動するピストン
を備えてなることを特徴とする請求項１〜５のいずれか１項に記載のローラパフ付き液状体容器。
【考案の詳細な説明】
【技術分野】
【０００１】
本考案は、ローラパフ付き液状体容器に関し、化粧料、特にリキッドファンデーションやクリームファンデーションのような流動性のある液体又はクリーム状の化粧料や絵の具やペンキなどの塗料等の液状体を収納する容器に、前記液状体を塗布するためのローラパフを備えてなるローラパフ付き液状体容器に関する。
【背景技術】
【０００２】
リキッドファンデーションやクリームファンデーションは液状の化粧料であるため、化粧料容器としてはチューブやボトルが用いられている。そしてこのような化粧料を顔面に塗布する際には、化粧料容器から化粧料をスポンジからなるパフに絞り出すか又は滴下して吸収させ、化粧料を吸収したパフを顔面に擦りつけて化粧料を顔面に塗布するか、又は、手のひらに化粧料を受けて指やパフで顔面に塗布するのが一般的である。
【０００３】
また、リキッドファンデーションやクリームファンデーションのような液状の化粧料を収納した化粧料容器の口部にローラパフを取り付けたものが知られており、ローラパフには化粧料容器に収納された化粧料が移行し、ローラパフに移行した化粧料を顔面に塗布する構造をなしている。例えば、下記特許文献１に示されるようなローラパフ付きの化粧料容器が提案されていた。このローラパフ付きの化粧料容器は、次のような構造をなしている。すなわち、アプリケータは支持体を有し、これにローラ状のスポンジ体は回転自在に係合している。このスポンジ体は回転シャフトを備え、これが支持体に形成されたサドル部に挿入されるようになっている。ローラは周縁フレームによって所定位置に保たれ、このフレームはローラを所定位置に保つために支持体に嵌め込まれる。容器本体への接続通路にバルブ部材が装着され、このバルブ部材はサドル形弾性栓体により構成され、この栓体はサドル領域において弾性可撓性膜に形成されたスリットを有し、これは通常、閉じられていてバルブ部材として作用し、容器に圧力が加えられたとき、流体製品の通過を可能とする。
【先行技術文献】
【特許文献】
【０００４】
【特許文献１】特開２００３−２６５２２８号公報
【特許文献２】特許第４１８４０４８号公報
【考案の概要】
【考案が解決しようとする課題】
【０００５】
しかしながら、上記従来のように、化粧料容器から化粧料をスポンジからなるパフに絞り出すか又は滴下し、化粧料を吸収したパフを顔面に擦りつけて化粧料を顔面に塗布する方法では、パフに化粧料を余分に吸収させてしまうことが多く、化粧料の無駄が生じる欠点があると共に、化粧料を吸収したパフを手で取り扱うため手が化粧料で汚れる欠点がある。また、手のひらに化粧料を受けて指やパフで顔面に塗布する方法では、同じく手が化粧料で汚れる欠点があると共に、化粧料の無駄が生じる欠点がある。
【０００６】
従来のローラパフを取り付けた化粧料容器では、ローラパフが取り外せないために、パフに吸収された化粧料が硬化してしまうことがあるので、次の使用時には化粧料の塗布ができない場合が生ずる。また、化粧料の流出口に対してローラパフが化粧料を受ける度合が中央では多く、両側に行くに従って少なくなるため、ローラパフに均等に化粧料が付着せず、顔面に化粧料を塗布するのに不具合が生ずる場合がある。
【０００７】
そこで、本考案者は、鋭意研究を重ね、ローラパフの取り外しが容易で、ローラパフに均等に化粧料や塗料等の液状体が付着するローラパフ付き液状体容器（以下、単に「液状体容器」という。）を開発した。
【課題を解決するための手段】
【０００８】
本考案に係る液状体容器は、容器本体と、容器本体の口部に着脱可能な蓋部と、蓋部における容器本体とは反対側に取り付けた塗布部とから構成され、蓋部には塗布部に通じる液状体流路が形成され、塗布部には液状体流路から流出した液状体を受ける回動可能な丸棒状のローラが取り付けられ、ローラは主としてスポンジよりなるパフが巻装されてなり、パフの一部が露出しており、かつ、蓋部から着脱可能に取り付けられていることを特徴とする。
【０００９】
また、前記の蓋部には、その両端に支持壁を形成し、該支持壁の内面には、傾斜溝付の係合用凹部を形成し、ローラにはその両端に係合用凸部を形成したことにより、支持壁の係合用凹部とローラの係合用凸部とを着脱可能に構成してもよい。
【００１０】
さらに、蓋部における液状体流路が、複数の方向に分岐して形成され、複数の液状体流路から流出した液状体をローラが受けるように構成してもよい。
【００１１】
さらにまた、前記ローラは、液状体流路から流出した液状体を受ける回動可能な丸棒状の第１ローラと、第１ローラに接触して設けられ、第１ローラが受けた液状体を受ける回動可能な丸棒状の第２ローラとから構成され、第１ローラは長手方向に複数の溝を有し、第２ローラは主としてスポンジよりなるパフが巻装されてなり、パフの一部が蓋部から露出しており、かつ、蓋部から着脱可能に取り付けられている構成としてもよい。
【００１２】
また、上記の構成に加え、容器本体の口部外周に雄ネジ部を形成し、蓋部底部側に前記の雄ネジ部に螺合する雌ネジ部を形成したことにより、容器本体と蓋部とを螺号結合により着脱可能としてもよい。
【００１３】
さらに、上記の構成に加え、蓋部が下側蓋部と上側蓋部とに分割されており、下側蓋部の上端外周に形成された外向きフランジと上側蓋部の下端内周に形成された内向きフランジとの嵌合構造により、下側蓋部に対して上側蓋部は周方向に回動可能に構成され、下側蓋部の上部中央部には、中央よりはみ出した突出半円板と該突出半円板を除いた半円状の隙間部とが形成され、上側蓋部の下部中央部には、中央よりはみ出した突出半円板と該突出半円板を除いた半円状の隙間部とが形成されてなる構成としてもよい。
【００１４】
さらにまた、上記の構成に加え、蓋部が下側蓋部と上側蓋部とに分割されており、下側蓋部の上端外周に形成された外向きフランジと上側蓋部の下端内周に形成された内向きフランジとの嵌合構造により、下側蓋部に対して上側蓋部は周方向に回動可能に構成され、下側蓋部の上部中央部には垂直方向にネジ穴が形成されており、ネジ穴の両側に容体部の口部に通じる流路が形成され、上側蓋部の下部中央部には、前記ネジ穴に連通し、ネジ穴の径よりも大きい水平断面六角のシリンダー穴が縦方向に形成されており、当該シリンダー穴の両側には前記流路に連通する流路が形成されていて、その流路の上端部はシリンダー穴の上部両側に連通し、シリンダー穴の上端から上方には化粧料流路に通じる逆円錐状穴が形成され、下部が前記ネジ穴と螺合する雄ネジを有するネジ軸であり、ネジ軸の上端に連続して、前記シリンダー穴内をスライドする水平断面六角の六角柱からなるピストン部が設けられており、ピストン部の上端には、細軸部を介して前記逆円錐状穴に合致する形状の逆円錐状栓が設けられており、上側蓋部を下側蓋部に対して回転させるとシリンダー穴の内部を上下動するピストンを備えてなる構成としてもよい。
【考案の効果】
【００１５】
上記のように構成したことにより、本考案に係る液状体容器は、容器本体にローラパフが取り付けられているので手を汚すことなく顔面等に液状体を塗布することができる。また、ローラパフが硬化しても取替可能であって、かつ、取り外したローラパフは洗浄することにより反覆使用が可能である。さらに、液状体流路を複数に分岐させた場合には、液状体が分流してローラ側へ流出するのでローラパフに均等に液状体が付着し、顔面等へ液状体が万遍なく塗布することができるので、化粧やペイントが行い易い利点がある。さらにまた、ローラとして溝付の第１ローラとパフ付きの第２ローラを採用した場合には、第１ローラが第２ローラに液状体を移行させる作用を果たすので、パフ付きの第２ローラへの液状体の移行がスムーズである。また、容器本体と蓋部とを螺号結合により着脱可能とした場合には、蓋部に螺号結合できる他の容器本体に異なった種類の液状体を収納しておけば、容器本体を取り替えるだけでその内容物である液状体の種類を取り替えることができるので便利であり、また、容器本体に螺号結合できる他の蓋部に異なった種類の塗布部を取り付けておけば、蓋部を取り替えることにより異なった種類の塗布部に取り替えることできるので便利である。
【図面の簡単な説明】
【００１６】
【図１】本考案の実施例である化粧料容器の分解斜視図である。
【図２】本考案の実施例である化粧料容器に外装キャップを被せた状態の斜視図である。
【図３】本考案の実施例である化粧料容器の蓋部に第１ローラのみを嵌め込んだ状態を示す斜視図である。
【図４】本考案の実施例である化粧料容器を組み立てた場合の斜視図である。
【図５】本考案の実施例である化粧料容器上部の幅方向中央縦断面図である。
【図６】本考案の実施例である化粧料容器上部の厚み方向中央縦断面図である。
【図７】本考案の実施例である化粧料容器の蓋部に第２ローラを取り付けようとする状態を示す図であって、図中の（ａ）は部分拡大斜視図であり、（ｂ）は支持壁の要部断面図である。
【図８】本考案の実施例である化粧料容器の蓋部に第２ローラを取り付けた状態を示す図であって、図中の（ａ）は部分拡大斜視図であり、（ｂ）は支持壁の要部断面図である。
【図９】本考案について、容体部の口部から化粧料流路に至るまでの化粧料の流れを制御する構造例１を示し、容体部の口部と化粧料流路とが遮断している状態の要部断面図である。
【図１０】本考案について、容体部の口部から化粧料流路に至るまでの化粧料の流れを制御する構造例１を示し、容体部の口部と化粧料流路とが連通している状態の要部断面図である。
【図１１】本考案について、容体部の口部から化粧料流路に至るまでの化粧料の流れを制御する構造例２を示し、容体部の口部と化粧料流路とが遮断している状態の部分拡大図付要部断面図である。
【図１２】本考案について、容体部の口部から化粧料流路に至るまでの化粧料の流れを制御する構造例２を示し、容体部の口部と化粧料流路とが連通している状態の部分拡大図付要部断面図である。
【考案を実施するための形態】
【００１７】
以下に本考案の好適な実施例を図に基いて詳細に説明する。なお、実施例は液状体として化粧料を使用する例であるが、絵の具やペンキ等の塗料を使用してもよい。以下、本実施例においては、「液状体容器」を「化粧料容器」という。
【実施例１】
【００１８】
本考案に係る化粧料容器Ａは、図１に示すように、容器本体Ａ１と蓋部Ａ２と塗布部Ａ３とから構成される。Ｂは、容器本体Ａ１に取着される外装キャップであって、図２に示すように、蓋部Ａ２と塗布部Ａ３とを覆い被す形態をなしている。
【００１９】
容器本体Ａ１は、化粧料Ｃを収納して貯留しておくためのものであって、容体部１０と、容器本体１０から化粧料Ｃを出し入れする口部１１を備えており、口部１１は蓋部Ａ２と螺合するように口部１１を構成する突出中空筒体の外周面には、雄ネジ部１１ａが形成されている。
【００２０】
蓋部Ａ２は、図１、図５及び図６に示すように、その底部側には、容器本体Ａ１の口部１１に形成された雄ネジ部１１ａと螺合する雌ネジ部２０が形成されていて、容器本体Ａ１に対して蓋部Ａ２がネジ止めできるようになっている。蓋部Ａ２には、塗布部Ａ３に化粧料Ｃを流す化粧料流路２１（本実施例においては、右側の化粧料流路２１ａ、中央の化粧料流路２１ｂ及び左側の化粧料流路２１ｃの３方向に分岐して形成されており、これらを総称して「化粧料流路２１」という場合がある。）が形成されている。この複数に分岐した化粧料流路２１ａ、２１ｂ、２１ｃは塗布部Ａ３に通じており、化粧料Ｃが塗布部Ａ３のローラ３０（本実施例においては、第１ローラ３１及び第２ローラ３２とから構成されており、これらを総称して「ローラ３０」という場合がある。）に流出するようになっている。
【００２１】
塗布部Ａ３は、図１、図５及び図６に示すように、蓋部Ａ２の容器本体Ａ１の取り付け側とは反対側に取り付けられている。塗布部Ａ３には、化粧料流路２１から流出した化粧料Ｃを受ける回動可能な丸棒状のローラ３０が取り付けられている。前記ローラ３０は、化粧料流路から流出した化粧料Ｃを受ける回動可能な丸棒状の第１ローラ３１と、第１ローラ３１に接触して設けられ、第１ローラ３１が受けた化粧料Ｃを受ける回動可能な丸棒状の第２ローラ３２とから構成されている。
【００２２】
第１ローラ３１は長手方向に複数の溝３１ａが形成されており、該第１ローラ３１の左右両端には、蓋部Ａ２に対する係合用凸部３１ｂが形成されている。第２ローラ３２は中心軸３２ａを有し、中心軸３２ａの周囲には主としてスポンジよりなるパフ３２ｂが巻装されてなり、第２ローラ３２の中心軸３２ａはその両端がパフ３２ｂより突出して蓋部Ａ２に係合させるための係合用凸部３２ｃが形成されている。なお、蓋部Ａ２と塗布部Ａ３を構成する第１ローラ３１及び第２ローラ３２との係合構造は後述する。
【００２３】
第１ローラ３１は第２ローラに接触して、第２ローラ３２の回転に同期して第１ローラ３１が回転するようになっている。したがって、第２ローラ３２を回転させると、第１ローラ３１は、複数の溝３１ａが、譬えていうと水車が水を掬い上げるように、化粧料Ｃを掬い上げながら回転する。このとき、化粧料流路２１が、右側の化粧料流路２１ａ、中央の化粧料流路２１ｂ及び左側の化粧料流路２１ｃの３方向に分岐しているので、第１ローラ３１は、その長さ方向全体にわたって化粧料Ｃを掬い上げることとなる。化粧料Ｃを掬い上げた第１ローラ３１は第２ローラ３２のパフ３２ｂと接触回転することにより、第２ローラ３２のパフ３２ｂへ化粧料Ｃがスムーズに移行する。また、第２ローラ３２のパフ３２ｂは、その一部が蓋部Ａ２の外部に露出しており、前記のようにパフ３２ｂに移行した化粧料Ｃは、第２ローラ３２を回転させることによりパフ３２ｂの全周に化粧料Ｃが付着する。そして、このように化粧料Ｃが均等に付着して蓋部Ａ２の外部に露出したパフ３２ｂを顔面に接触させることにより化粧料Ｃを顔面に塗布することができるようになっている。
【００２４】
なお、ローラ３０は前記第１ローラ３１を備えず、主としてスポンジよりなるパフが巻装されたローラ３２のみからなるものであってもよい。また、化粧料流路２１から第１ローラ３１に化粧料Ｃが流出することについては、公知の流量制御構造を採用してもよく、例えば容器本体Ａ１の容体部１０を柔軟性のある材質で形成し、容体部１０を押圧したときにだけ化粧料Ｃが化粧料流路２１に流出する構造としてもよく、また、蓋部Ａ２を容器本体Ａ１に対して１８０°回転させることにより容器本体Ａ１の口部１１から化粧料流路２１に達する化粧料Ｃの通路を開口及び閉塞する構造（特許第４１８４０４８号に開示の構造）を採用し、通路が開口したときに化粧料Ｃが容器本体Ａ１の口部１１から化粧料流路２１に流出し、通路が閉塞したときには、化粧料Ｃが容器本体Ａ１の口部１１から化粧料流路２１へ流出しないように構成してもよい。容体部の口部から化粧料流路に至るまでの化粧料の流れを制御する構造例の詳細については後述する。
【００２５】
次に、蓋部Ａ２と塗布部Ａ３との係合構造について詳述する。蓋部Ａ２には、塗布部Ａ３を取り付ける側である上部左右に起立した支持壁２２が形成されており、各支持壁２２の間の下方には、第１ローラ嵌め込み用の断面半円状に刳り貫いた凹部２３が形成されており、この凹部２３の両端の支持壁２２下方には第１ローラと係合する係合孔２４が形成されている。この凹部２３は、その底部には３方向に分岐した化粧料流路２１が開口しており、図３に示すように、凹部２３に第１ローラ３１を嵌め込むと、第１ローラ３１は化粧料流路２１の開口部に面することになる。
【００２６】
第２ローラ３２は、図７及び図８に詳細に示すように、その第２ローラの係合用凸部３２を、支持壁２２の内面側に形成された第２ローラ係合孔２５に嵌め込むことにより係合する。支持壁２２の内面側には、持壁２２の上端から第２ローラ係合孔２５に達する傾斜溝２６が支形成されており、この傾斜溝２６の部分においては左右両側の支持壁２２，２２の間隔は上方が広く下方に行くに従って傾斜分だけ狭く形成されている。また、第２ローラ係合孔２５と第２ローラ係合用傾斜溝２６との段差部２７における支持壁２２の厚みは、支持壁２２自体の厚みａより薄く形成されている。したがって、段差部２７における支持壁２２の厚みが薄いため、第２ローラ３２の係合用凸部３２ｃは、段差部２７を軽い力で乗り越えて嵌め込むことができ、かつ、引き抜くことができるようになっている。これにより、パフ３２ａが巻装された第２ローラ３２は蓋部Ａ２から軽い力で着脱可能となり、容易に第２ローラ３２を取り替えることができる。
【００２７】
本実施例における化粧料容器Ａを上記のように構成したことにより、容器本体Ａ１にローラパフである第２ローラ３２が取り付けられているので手を汚すことなく顔面に化粧料Ｃを塗布することができる。また、前記第２ローラ３２が硬化しても容易に取替可能であって、かつ、取り外した第２ローラ３２は洗浄することにより反覆して使用することが可能である。さらに、化粧料流路２１を複数に分岐させているので、化粧料Ｃが分流してローラ側へ流出するのでローラパフである第２ローラ３２に均等に化粧料が付着し、顔面へ化粧料を万遍なく塗布することができるので、化粧が行い易い利点がある。さらにまた、第１ローラ３１が第２ローラ３２に化粧料Ｃを移行させる作用を果たすので、パフ付きの第２ローラへの化粧料Ｃの移行がスムーズであり、蓋部Ａ２の内部におけるトラブルが生じない利点がある。
【００２８】
図９及び図１０は、容体部の口部１１１から化粧料流路１２１ａ、１２１ｂ、１２１ｃに至るまでの化粧料の流れを制御する構造例１を示す。本構造例１においては、蓋部が下側蓋部１５０と上側蓋部１６０とに分割されており、下側蓋部１５０の上端外周に形成された外向きフランジ１５１と上側蓋部１６０の下端内周に形成された内向きフランジ１６１との嵌合構造により、下側蓋部１５０に対して上側蓋部１６０は周方向に回動可能に構成されている。なお、下側蓋部１５０の底部側中央には容体部の口部１１１の外周に形成された雄ネジ部１１１ａに螺合する雌ネジ部１２０が形成されており、上側蓋部１６０の上部には、図示を省略するが、塗布部が設けられている。
【００２９】
そして、下側蓋部１５０の上部中央部には、中央より若干はみ出した突出半円板１５２と該突出半円板１５２を除いた半円状の隙間部１５３とが形成されている。一方、上側蓋部１６０の下部中央部には、中央より若干はみ出した突出半円板１６２と該突出半円板１６２を除いた半円状の隙間部１６３とが形成されている。
【００３０】
図９においては、下側蓋部１５０の突出半円板１５２と上側蓋部１６０の突出半円板１６２とが対抗する位置にあり、隙間部１５３と隙間部１６３とが各突出半円板により遮断され、かつ、各突出半円板のはみ出た部分同士が上下に重なり合っているため、容体部の口部１１１から化粧料流路１２１ａ、１２１ｂ、１２１ｃに至るまでの化粧料の流れが完全に遮断される。
【００３１】
図１０は図９の状態から上側蓋部１６０を１８０°回転したものであり、したがって図１０においては、下側蓋部１５０の突出半円板１５２と上側蓋部１６０の突出半円板１６２とが同一の位置にあり、各突出半円板同士が上下に重なり合って、隙間部１５３と隙間部１６３とが連通するため、容体部の口部１１１から化粧料が化粧料流路１２１ａ、１２１ｂ、１２１ｃに到達することになる。
【００３２】
したがって、上記構造例１は、下側蓋部１５０に対して上側蓋部１６０を１８０°回転させると、下側蓋部１５０の突出半円板１５２と上側蓋部１６０の突出半円板１６２とにより、容体部の口部１１１と化粧料流路１２１ａ、１２１ｂ、１２１ｃとが連通し、上側蓋部１６０を逆に１８０°回転させて元に戻すと、容体部の口部１１１と化粧料流路１２１ａ、１２１ｂ、１２１ｃとが遮断することになるので、上側蓋部１６０を１８０°回転させるだけで化粧料の流れを制御することができる。
【００３３】
図１１及び図１２は、容体部の口部２１１から化粧料流路２２１ａ、２２１ｂ、２２１ｃに至るまでの化粧料の流れを制御する構造例２を示す。本構造例２においては、蓋部が下側蓋部２５０と上側蓋部２６０とに分割されており、下側蓋部２５０の上端外周に形成された外向きフランジ２５１と上側蓋部２６０の下端内周に形成された内向きフランジ２６１との嵌合構造により、下側蓋部２５０に対して上側蓋部２６０は周方向に回動可能に構成されている。なお、下側蓋部２５０の底部側中央には容体部の口部２１１の外周に形成された雄ネジ部２１１ａに螺合する雌ネジ部２２０が形成されており、上側蓋部２６０の上部には、図示を省略するが、塗布部が設けられている。
【００３４】
そして、下側蓋部２５０の上部中央部には垂直方向にネジ穴２５２が形成されており、ネジ穴２５２の両側に容体部の口部２１１に通じる流路２５３ａ、２５３ｂが形成されている。一方、上側蓋部２６０の下部中央部には、前記ネジ穴２５２に連通し、ネジ穴２５２の径よりも大きい水平断面六角のシリンダー穴２６２が縦方向に形成されており、当該シリンダー穴２６２の両側には前記流路２５３ａ、２５３ｂに連通する流路２６３ａ、２６３ｂが形成されていて、その流路２６３ａ、２６３ｂの上端部は屈曲してシリンダー穴２６２の上部両側に連通している。シリンダー穴２６２の上端から上方には化粧料流路２２１ａ、２２１ｂ、２２１ｃに通じる逆円錐状穴２６４が形成されている。
【００３５】
２７０は前記シリンダー穴２６２の内部を上下動するピストンであって、該ピストン２７０は、その下部が前記ネジ穴２５２と螺合する雄ネジを有するネジ軸２７１であり、ネジ軸２７１の上端に連続して、前記シリンダー穴２６２内をスライドする水平断面六角の六角柱からなるピストン部２７２が設けられており、ピストン部２７２の上端には、細軸部２７３を介して前記逆円錐状穴２６４に合致する形状の逆円錐状栓２７４が設けられており、上側蓋部２６０を下側蓋部２５０に対して回転させるとピストン２７０が上下動する。すなわち、上側蓋部２６０を下側蓋部２５０に対して回転させると、ネジ軸２７１が下側蓋部２５０に対して上下動し、それに伴って、シリンダー穴２６２内をピストン部２７２が上下動し、それに伴って、逆円錐状穴２６４内を逆円錐状栓２７４が上下動する。
【００３６】
図１１においては、ピストン２７０を最下降させた状態であり、逆円錐状栓２７４の下端部が逆円錐状穴２６４の最下部に嵌り込んで密着することにより逆円錐状穴２６４を閉塞した状態である。したがって、ネジ穴２５２の両側に形成された容体部の口部２１１に通じる流路２５３ａ、２５３ｂ及びシリンダー穴２６２の両側に形成され、前記流路２５３ａ、２５３ｂに連通する流路２６３ａ、２６３ｂと化粧料流路２２１ａ、２２１ｂ、２２１ｃとが逆円錐状栓２７４により遮断されるので、化粧料が化粧料流路２２１ａ、２２１ｂ、２２１ｃに流出しない。
【００３７】
図１２は図１１の状態から上側蓋部２６０を回転したものであり、上側蓋部２６０の回転に伴ってシリンダー穴２６２が回転すると共にピストン部２７２が回転し、ピストン部２７２の回転に伴ってネジ軸２７１が上昇し、ネジ軸２７１の上昇に伴って、ピストン部２７２及び逆円錐状栓２７４が上昇する。逆円錐状栓２７４が上昇するに伴って、逆円錐状栓２７４が逆円錐状穴２６７から離れて、逆円錐状栓２７４と逆円錐状穴２６７との間に隙間が形成されると共に細軸部２７３の周囲において逆円錐状穴２６７と流路２６３ａ、２６３ｂとが連通する。したがって、逆円錐状栓２７４と逆円錐状穴２６７との間に隙間が形成され、細軸部２７３の周囲において逆円錐状穴２６７と流路２６３ａ、２６３ｂとが連通することにより、ネジ穴２５２の両側に形成された容体部の口部２１１に通じる流路２５３ａ、２５３ｂ及びシリンダー穴２６２の両側に形成され、前記流路２５３ａ、２５３ｂに連通する流路２６３ａ、２６３ｂと化粧料流路２２１ａ、２２１ｂ、２２１ｃとが連通するので、化粧料が化粧料流路２２１ａ、２２１ｂ、２２１ｃに流出することになる。
【００３８】
したがって、上記構造例２は、下側蓋部２５０に対して上側蓋部２６０を回転させることにより、逆円錐状栓２７４が逆円錐状穴２６４から離れて、容体部の口部２１１と化粧料流路２２１ａ、２２１ｂ、２２１ｃとが連通し、上側蓋部２６０を逆に回転させて元に戻すと、逆円錐状栓２７４が逆円錐状穴２６４に密着して容体部の口部２１１と化粧料流路２２１ａ、２２１ｂ、２２１ｃとが遮断することになるので、上側蓋部２６０を回転させるだけで化粧料の流れを制御することができる。なお、本構造例２においては、上側蓋部２６０の回転量を調節することにより、逆円錐状栓２７４と逆円錐状穴２６７との間に形成される隙間の大きさを変化させることができるので、流量の調節が可能である。
【００３９】
なお、本実施例は液状体容器を化粧料容器として説明したが、絵の具やペンキ等の塗料容器に対しても適用できるものである。また、実施の形態は例示であり、考案の範囲は実施の形態に限られるものではない。
【００４０】
本考案の上記実施形態は、例として提示したものであり、考案の範囲を限定することは意図していない。上記実施形態は、その他の様々な形態で実施されることが可能であり、考案の要旨を逸脱しない範囲で、種々の省略、置き換え、変更を行うことができる。上記実施形態やその変形は、考案の範囲や要旨に含まれると同様に、実用新案登録請求の範囲に記載された考案とその均等の範囲に含まれるものである。
【符号の説明】
【００４１】
Ａ・・・・化粧料容器
Ａ１・・・容器本体
Ａ２・・・蓋部
Ａ３・・・塗布部
Ｂ・・・・外装キャップ
Ｃ・・・・化粧料
１０・・・容器本体の容体部
１１・・・容器本体の口部
１１ａ・・容器本体の口部における蓋部との螺合雄ネジ部
２０・・・蓋部における容器本体口部との螺合雌ネジ部
２１・・・化粧料流路
２１ａ・・分岐した右側の化粧料流路
２１ｂ・・分岐した中央の化粧料流路
２１ｃ・・分岐した左側の化粧料流路
２２・・・支持壁
ａ・・・・支持壁の厚み
２３・・・第１ローラ嵌め込み用凹部
２４・・・第１ローラ係合孔
２５・・・第２ローラ係合孔
２６・・・第２ローラ係合用傾斜溝
２７・・・第２ローラ係合孔と第２ローラ係合用傾斜溝との段差部
３０・・・ローラ
３１・・・第１ローラ
３１ａ・・第１ローラの溝
３１ｂ・・第１ローラの係合用凸部
３２・・・第２ローラ
３２ａ・・第２ローラの中心軸
３２ｂ・・第２ローラのパフ
３２ｃ・・第２ローラの係合用凸部
１１１・・容体部の口部
１１１ａ・雄ネジ部
１２０・・雌ネジ部
１２１ａ・化粧料流路
１２１ｂ・化粧料流路
１２１ｃ・化粧料流路
１５０・・下側蓋部
１５１・・外向きフランジ
１５２・・突出半円板
１５３・・半円状の隙間部
１６０・・上側蓋部
１６１・・内向きフランジ
１６２・・突出半円板
１６３・・半円状の隙間部
２１１・・容体部の口部
２１１ａ・雄ネジ部
２２０・・雌ネジ部
２２１ａ・化粧料流路
２２１ｂ・化粧料流路
２２１ｃ・化粧料流路
２５０・・下側蓋部
２５１・・外向きフランジ
２５２・・ネジ穴
２５３ａ・流路
２５３ｂ・流路
２６０・・上側蓋部
２６１・・内向きフランジ
２６２・・シリンダー穴
２６３ａ・流路
２６３ｂ・流路
２６４・・逆円錐状穴
２７０・・ピストン
２７１・・ネジ軸
２７２・・ピストン部
２７３・・細軸部
２７４・・逆円錐状栓
【図１】
0003171216.tif 000003
【図２】
0003171216.tif 000004
【図３】
0003171216.tif 000005
【図４】
0003171216.tif 000006
【図５】
0003171216.tif 000007
【図６】
0003171216.tif 000008
【図７】
0003171216.tif 000009
【図８】
0003171216.tif 000010
【図９】
0003171216.tif 000011
【図１０】
0003171216.tif 000012
【図１１】
0003171216.tif 000013
【図１２】
0003171216.tif 000014